(57)【要約】【課題】引き抜きの力が加わったときのコンタクトランスの座屈を抑えた電気コンタクトを提供する。【解決手段】電気コンタクト１には、コンタクトランス３０が備えられている。このコンタクトランス３０は、スタビライザ２０よりも前方の、電気コンタクト１の前端に固定端を有し、後方に向かって片持ち梁形状に延びている。そして、このコンタクトランス３０は、一対のスタビライザ２０の間を通過してさらに後方に延び、スタビライザ２０よりも後方に自由端を有する。このコンタクトランス３０は、スタビライザ２０よりも後方において前後方向にスタビライザ２０と重なる位置まで左右各々に延びた一対の当接部３１を有する。さらに、コンタクトランス３０は、一対の当接部３１から上方に立ち上がった一対の立上り部３２を有する。【選択図】図１
2020140852.tif 000002
【特許請求の範囲】
【請求項１】
側壁および上壁を有し相手コンタクトに接触する接触部と、
前記側壁から上方に延びるスタビライザと、
前記スタビライザよりも前方および後方にそれぞれ固定端および自由端を有し前記上壁から後方に片持ち梁形状に延びる、ハウジングからの抜け防止用のコンタクトランスとを備え、
前記コンタクトランスが、前記スタビライザよりも後方において前後方向に該スタビライザと重なる位置まで側方に延び、該コンタクトランスが前方への押圧力を受けたときに該スタビライザに当接する当接部を有することを特徴とする電気コンタクト。
【請求項２】
前記接触部が左右の両側壁を有し、
前記スタビライザが前記両側壁の各々から上方に延びる一対のスタビライザであって、
前記当接部が、左右各々に延びて、該コンタクトランスが前方への押圧力を受けたときに該一対のスタビライザの各々に当接する一対の当接部であることを特徴とする請求項１に記載の電気コンタクト。
【請求項３】
前記コンタクトランスが、前記当接部から上方に立ち上がった立上り部を有することを特徴とする請求項１または２に記載の電気コンタクト。
【請求項４】
前記スタビライザが、上方に延びた上端部に、前記コンタクトランスと上下方向に重なるように屈曲した屈曲部を有することを特徴とする請求項１から３のうちのいずれか１項に記載の電気コンタクト。
【発明の詳細な説明】
【技術分野】
【０００１】
本発明は、電気ケーブルの端部に接続されコネクタハウジングに挿し込まれてコネクタハウジングとともにコネクタを構成する電気コンタクトに関する。
【背景技術】
【０００２】
上記の電気コンタクトには、電気ケーブルに不用意に力が加えられてもコネクタハウジングから抜け出ないように、コンタクトランスを備えたものがある。このコンタクトランスは、片持ち梁形状を有し、電気コンタクトをコネクタハウジングに挿し込むときに撓んで、挿し込み完了の状態ではその撓みが解除される。そして、引き抜きの力が加わったときには、このコンタクトランスの後端部がコネクタハウジングの垂直壁面に当接して、引き抜きに対する抵抗として作用する。
【０００３】
ここで、近年では、一層の小型化、軽量化のため、一層板厚が薄い板材を用いて電気コンタクトを製造する必要に迫られている。その場合、コンタクトランスの肉厚も薄くなり、電気ケーブルに引き抜きの力が加わったときにコンタクトランスに加わる前方への押圧力に対する必要な抵抗力が得られずにコンタクトランスが座屈してしまうおそれがある。
【０００４】
ここで、特許文献１には、コンタクトランスの側面に設けられた突片を保護壁の係合孔に差し込むことで、コンタクトランスの上方への変位を規制してコンタクトランスのめくれを防止する構造の電気コンタクトが開示されている。
【先行技術文献】
【特許文献】
【０００５】
【特許文献１】特開２００２−９３５０８号公報
【発明の概要】
【発明が解決しようとする課題】
【０００６】
上掲の特許文献１の構造の電気コネクタの場合、コンタクトランスの、上方へのめくれは防止されるが、電気ケーブルの引き抜きの力に対する座屈が防止される構造となっているかは定かではない。
【０００７】
本発明は、上記事情に鑑み、引き抜きの力が加わったときのコンタクトランスの座屈を抑えた電気コンタクトを提供することを目的とする。
【課題を解決するための手段】
【０００８】
上記目的を達成する本発明の電気コンタクトは、
側壁および上壁を有し相手コンタクトに接触する接触部と、
上記側壁から上方に延びるスタビライザと、
上記スタビライザよりも前方および後方にそれぞれ固定端および自由端を有し上記上壁から後方に片持ち梁形状に延びる、ハウジングからの抜け防止用のコンタクトランスとを備え、
上記コンタクトランスが、スタビライザよりも後方において前後方向にスタビライザと重なる位置まで側方に延び、コンタクトランスが前方への押圧力を受けたときにスタビライザに当接する当接部を有することを特徴とする。
【０００９】
本発明の電気コンタクトは、コンタクトランスが上記の当接部を有する。このため、コンタクトランスが前方への押圧力を受けたときには、コンタクトランスだけでなくスタビライザも一緒になって、その押圧力に抵抗する。このため、コンタクトランスの座屈が抑制されて高い抵抗力を得ることができる。
【００１０】
ここで、本発明の電気コンタクトにおいて、
上記接触部が左右の両側壁を有し、
上記スタビライザが上記両側壁の各々から上方に延びる一対のスタビライザであって、
上記当接部が、左右各々に延びて、コンタクトランスが前方への押圧力を受けたときにそれら一対のスタビライザの各々に当接する一対の当接部であることが好ましい。
【００１１】
この場合、コンタクトランスが前方への押圧力を受けたときには、左右一対のスタビライザが一体となってその押圧力の抵抗となる。このため、片側のみの場合と比べ、コンタクトランスの座屈がさらに確実に抑制されてさらに高い抵抗力を得ることができる。
【００１２】
また、本発明の電気コンタクトにおいて、上記コンタクトランスが、当接部から上方に立ち上がった立上り部を有することも好ましい。
【００１３】
この立上り部があると、立上り部がなく横に延びた当接部だけの構造と比べ、コンタクトランスの座屈がさらに確実に抑制されてさらに高い抵抗力を得ることができる。
【００１４】
さらに、本発明の電気コンタクトにおいて、上記スタビライザが、上方に延びた上端部に、コンタクトランスと上下方向に重なるように屈曲した屈曲部を有することが好ましい。
【００１５】
スタビライザが上記の屈曲部を有すると、組立時等におけるコンタクトランスの上方へのめくれが抑えられる。
【発明の効果】
【００１６】
以上の本発明によれば、引き抜きの力が加わったときのコンタクトランスの座屈を抑えた電気コンタクトが実現する。
【図面の簡単な説明】
【００１７】
【図１】本発明の一実施形態の電気コンタクトの斜視図（Ａ）と、図１（Ａ）に示す円Ｒ１の部分の拡大図である。
【図２】図１に示す電気コンタクトの平面図（Ａ）と、図２（Ａ）に示す円Ｒ２の部分の拡大図である。
【図３】図１に示す電気コンタクトの側面図（Ａ）と、図３（Ａ）に示す円Ｒ３の部分の拡大図である。
【図４】図１に示す電気コンタクトの拡大正面図である。
【発明を実施するための形態】
【００１８】
以下、本発明の実施の形態について説明する。
【００１９】
図１は、本発明の一実施形態の電気コンタクトの斜視図（Ａ）と、図１（Ａ）に示す円Ｒ１の部分の拡大図である。
【００２０】
また、図２は、図１に示す電気コンタクトの平面図（Ａ）と、図２（Ａ）に示す円Ｒ２の部分の拡大図である。
【００２１】
また、図３は、図１に示す電気コンタクトの側面図（Ａ）と、図３（Ａ）に示す円Ｒ３の部分の拡大図である。
【００２２】
さらに、図４は、図１に示す電気コンタクトの拡大正面図である。
【００２３】
ここで、図３（Ｂ）および図４には、コネクタハウジングの、この電気コンタクトの近傍の部分が一点鎖線で示されている。
【００２４】
この電気コンタクト１は、相手コンタクトに接触して電気的に接続される接触部１０を有する。この接触部１０は、底壁１１、左右の側壁１２、および上壁１３を有する箱型の接触部であって、その前面には、開口１０Ａが形成されている。この開口１０Ａからは、相手コンタクト（不図示）の雄型の接触部が挿入されて、このコンタクトと相手コンタクトが電気的に接続される。
【００２５】
また、この電気コンタクト１には、左右の側壁１２の各々から上方に延びる一対のスタビライザ２０が設けられている。これらのスタビライザ２０は、ハウジングへの誤挿入防止用である。
【００２６】
また、この電気コンタクト１には、コンタクトランス３０が備えられている。このコンタクトランス３０は、スタビライザ２０よりも前方（この実施形態では、この電気コンタクト１の前端）の上壁１３に固定端を有し、後方に向かって片持ち梁形状に延びている。そして、このコンタクトランス３０は、一対のスタビライザ２０の間を通過してさらに後方に延び、スタビライザ２０よりも後方に自由端を有する。このコンタクトランス３０は、この電気コンタクト１の、コネクタハウジング２（図３（Ｂ），図４参照）からの抜け防止用である。このコンタクトランス３０の、抜け防止の作用については、後述する。
【００２７】
このコンタクトランス３０は、スタビライザ２０よりも後方において前後方向にスタビライザ２０と重なる位置まで左右各々に延びた一対の当接部３１を有する。さらに、このコンタクトランス３０は、一対の当接部３１から上方に立ち上がった一対の立上り部３２を有する。
【００２８】
また、一対のスタビライザ２０の各々は、上方に延びた上端部に、コンタクトランス３０と上下方向に重なるように屈曲した屈曲部２１を有する。さらに、このコンタクトランス３０は、その自由端側に、自由端にまで至る、上方に膨らんだ膨出部３３を有する。コンタクトランス３０の、この膨出部３３に対応する下面側には、上面の膨出に伴う窪みが形成されている。
【００２９】
さらに、この電気コンタクト１は、電気ケーブル３の先端部を圧着接続した圧着部４０を有する。なお、電気ケーブル３は、ここには、電気コンタクト１の近傍の部分しか示されていないが、この電気ケーブル３は、さらに後方にまで延びている。また、ここには、電気ケーブル３の芯線は図示されていない。
【００３０】
次に、コンタクトランス３０の、コネクタハウジング２からの抜け防止機能について説明する。
【００３１】
この電気コンタクト１は、コネクタハウジング２の後方から前方に向かって、図３（Ｂ）に示す矢印Ｘの向きに挿し込まれる。このコンタクトランス３０は、片持ち梁形状を有するため、電気コンタクト１をコネクタハウジング２に挿し込むときはコネクタハウジング２の内壁に押されて撓み、挿し込み完了の状態ではその撓みが解除される。この撓みが解除された段階ではコンタクトランス３０の直ぐ後方に、コネクタハウジング２の垂直壁面２ａがコンタクトランス３０と対面した状態となっている。この状態にあるときに、電気ケーブル３が不用意に引っ張られたとする。この引っ張りの力の向きは、図３（Ｂ）に示す矢印Ａの向きである。すると、コンタクトランス３０の後端がの垂直壁面２ａに当接して矢印Ｂの向きの力を受ける。すると、コンタクトランス３０が若干撓みながら、図３（Ｂ）に点線で示す領域Ｔにおいて、コンタクトランス３０の当接部３１と立上り部３２がスタビライザ２０に当接する。すると、このコンタクトランス３０に加え、スタビライザ２０も一体となって矢印Ｂの向きの押圧力に抵抗し、コンタクトランス３０の座屈が抑えられる。本実施形態の電気コンタクト１の場合、この構造により、コンタクトランス３０の座屈が抑えられている。なお、膨出部３３（図１（Ｂ）参照）は、垂直壁面２ａとの当接面積の増大により、電気コンタクト１の保持力の向上に寄与している。
【００３２】
また、スタビライザ２０には、その上端部に屈曲部２１を有する。自由端側のコンタクトランス３０の下に電線が入り込んでコンタクトランス３０が持ち上げられたとする。その場合、コンタクトランス３０がスタビライザ２０の屈曲部２１の下向き面に当接し、コンタクトランス３０がそれ以上持ち上げられることが阻止される。本実施形態の電気コンタクト１の場合、この屈曲部２１を設けたことにより、コンタクトランス３０のめくれも防止される。
【００３３】
また、この電気コンタクト１の圧着部４０は、図２（Ａ）に示すように、横向きに窪んだリテーナ受容部５０を有する。このリテーナ受容部５０には、この電気コンタクト１がコネクタハウジング２に挿し込まれた後で、そのコネクタハウジング２に横向きに挿し込まれるリテーナ（不図示）が配置される。そして、そのリテーナによっても電気コンタクト１の抜けが防止される。したがって、この実施形態の電気コンタクト１の場合、コンタクトランス３０による抜け防止は、リテーナが挿し込まれるまでの間の仮係止の意味合いを有する。この実施形態の電気コンタクト１の場合、上記のコンタクトランス３０の座屈防止の構造は、仮係止の段階で電気ケーブルが引っ張られた時の座屈防止用である。
【００３４】
なお、上記の実施形態では、コンタクトランス３０には立上り部３２が設けられていることにより、スタビライザ２０との当接面積が増大し、コンタクトランス３０の座屈抑制効果が高い。ただし、立上り部３２が無くて当接部３１のみであっても、スタビライザ２０に当接して座屈を防止する機能を有する。
【００３５】
また、上記の実施形態では、コンタクトランス３０の当接部３１およびスタビライザ２０は一対ずつ設けられていることでコンタクトランス３０の座屈抑制効果が高いが、左右のいずれか一方にのみ設けられていてもよい。
【００３６】
さらに、一対の屈曲部２１は、各スタビライザ２０の上端部から互いに接近するように斜め下方に延びていてもよい。
【符号の説明】
【００３７】
１    電気コンタクト
２    コネクタハウジング
２ａ  垂直壁面
３    電気ケーブル
１０  接触部
１０Ａ  開口
１１  底壁
１２  側壁
１３  上壁
２０  スタビライザ
２１  屈曲部
３０  コンタクトランス
３１  当接部
３２  立上り部
３３  膨出部
４０  圧着部
５０  リテーナ受容部
【図１】
2020140852.tif 000003
【図２】
2020140852.tif 000004
【図３】
2020140852.tif 000005
【図４】
2020140852.tif 000006